(57)【要約】【課題】スタンドスタイルとラッピングスタイルとに切替自在な花ラッピング器において、スタンドスタイルにおける花の飾りつけ姿勢を安定保持する。【解決手段】底部６から挿し口５へ上向き末広がりに形成された本体２と、この本体２の上部に外嵌されて挿し口５より更に延出する上向き末広がり形状の延長カバー体３とを有し、前記延長カバー体３を上下反転して本体２に外嵌可能にした花ラッピング器において、前記延長カバー体３の嵌合部１７に、上下反転して本体２に嵌合したときに本体２の傾動を規制する傾動規制手段１４を設けている。【選択図】図１
2007131317.tif 000002
【特許請求の範囲】
【請求項１】
底部（６）から挿し口（５）へ上向き末広がりに形成された本体（２）と、この本体（２）の上部に外嵌されて挿し口（５）より更に延出する上向き末広がり形状の延長カバー体（３）とを有し、前記延長カバー体（３）を上下反転して本体（２）に外嵌可能にした花ラッピング器において、
前記延長カバー体（３）の嵌合部（１７）に、上下反転して本体（２）に嵌合したときに本体（２）の傾動を規制する傾動規制手段（１４）を設けていることを特徴とする花ラッピング器。
【請求項２】
前記傾動規制手段（１４）は、延長カバー体（３）の嵌合部（１７）と本体（２）の被嵌合部（１８）とを上下に幅のある接触面で形成していることを特徴とする請求項１に記載の花ラッピング器。
【請求項３】
前記延長カバー体（３）の嵌合部（１７）と本体（２）の被嵌合部（１８）との間に、上下相対位置を設定する位置決め手段（１９）を設けていることを特徴とする請求項１または２に記載の花ラッピング器。
【請求項４】
前記本体（２）の内部に、挿入された花の茎の中途部を位置決めする花姿勢保持部材（４）を挿脱自在に挿入していることを特徴とする請求項１〜３のいずれかに記載の花ラッピング器。
【発明の詳細な説明】
【技術分野】
【０００１】
本発明は、花、主に花束を包装及び運搬するのに加えて、飾る付け花器として利用可能な花ラッピング器に関するものである。
【背景技術】
【０００２】
この種の花ラッピング器としては、特許文献１に示すように、上方に開口し下方に頂部を向けた円錐又は多角錐形状の花挿しコーンと、大小の口部をそれぞれ上下に形成する切頭コーン状のカバーとからなる花束ラッピング器が知られている。
この花束ラッピング器は、カバーを台として用いて、ここに花挿しコーンを挿し込み、立てるように支持するスタンドスタイルと、花挿しコーンの上方に向かって末広がり状にカバーを延出するように連結してカバーで花を包装するラッピングスタイルとに切替自在となっている。即ち、スタンドスタイルにおいては大口部を下に向けて机などに載置し、この上に前記花挿しコーンを挿し込み、ラッピングスタイルにおいては、大口部を上に向けた状態の前記カバーに、花挿しコーンを上方から挿入する。
【特許文献１】特開２００２−２４０８７９号公報
【発明の開示】
【発明が解決しようとする課題】
【０００３】
前記特許文献１の花束ラッピング器は、花挿しコーンに沿ってテーパ状に形成されたカバーを上下反転させて、花挿しコーンを小口部側からカバーに挿入するようになっており、スタンドスタイルにおいては花挿しコーンとカバーとはテーパの傾きを異にするので、花挿しコーンはカバーと線接触した状態で支持されており、花挿しコーンはカバー上で傾動する可能性がある。
よって、花は使用する花の種類や数量によっては、非常に重量バランスを取りにくくなっているので、スタンドスタイルで花を差し込んで花挿しコーンをカバーで支えようとしても、花挿しコーンごと花が倒れてしまう場合がある。
【０００４】
本発明は、このような問題点を解決し得る花ラッピング器を提供することを目的とする。
本発明は、カバーで本体を立てるように支持するスタンドスタイルと、花を包装するラッピングスタイルとに切替自在でありながら、スタンドスタイルにおいて本体の傾動を防止して花の飾りつけ姿勢を安定保持することを可能とした花ラッピング器を提供すること目的とする。
【課題を解決するための手段】
【０００５】
前記目的を達成するため、本発明は、次の手段を講じた。
即ち、底部６から挿し口５へ上向き末広がりに形成された本体２と、この本体２の上部に外嵌されて挿し口５より更に延出する上向き末広がり形状の延長カバー体３とを有し、前記延長カバー体３を上下反転して本体２に外嵌可能にした花ラッピング器において、
前記延長カバー体３の嵌合部１７に、上下反転して本体２に嵌合したときに本体２の傾動を規制する傾動規制手段１４を設けている。
前記傾動規制手段１４は延長カバー体３の嵌合部１７と本体２の被嵌合部１８とを上下に幅のある接触面で形成しているのが好ましく、また前記嵌合部１７と被嵌合部１８との間に上下相対位置を設定する位置決め手段１９が設けられるのがより好ましい。
【０００６】
また、前記本体２の内部に挿入された花の茎の中途部を位置決めする花姿勢保持部材４を挿脱自在に挿入することもできる。
このような手段を講じることによって、延長カバー体３で本体２を立てるように支持するスタンドスタイルと、花を包装するラッピングスタイルとに切替自在でありながら、スタンドスタイルにおいて本体２の傾動を防止して花の飾りつけ姿勢を安定保持することが可能となる。
また、傾動規制手段１４を上下に幅のある接触面を有する嵌合部１７と被嵌合部１８とで構成しているので、簡単な構造で傾動規制手段を形成でき、廉価な製造コストで傾動の防止が可能となる。
【０００７】
さらに、嵌合部１７と被嵌合部１８とに上下相対位置を設定する位置決め手段１９を設けることで、本体２の延長カバー体３から離脱が規制されて、花の飾りつけ姿勢の保持がより安定して行える。
さらにまた、本体２の内部に挿入された花の茎の中途部を位置決めする花姿勢保持部材４を挿脱自在に挿入しているので、花の本体２に対しての姿勢が保持でき、花を良好な飾りつけ姿勢に安定して保持することが可能となる。
【発明の効果】
【０００８】
本発明により、延長カバー体３で本体２を立てるように支持するスタンドスタイルと、花を包装するラッピングスタイルとに切替自在でありながら、スタンドスタイルにおいて本体２の傾動を防止して花の飾りつけ姿勢を安定保持することが可能となる。
【発明を実施するための最良の形態】
【０００９】
以下、本発明の実施の形態を図面に基づき説明する。
本発明の花ラッピング器１は、花（又は花束）Ｆを差し込んでその外方を覆い、傷つかないように運搬する包装容器として利用されるのみでなく、卓上に飾りつける場合等に簡易な花器としても利用できるものである。
図１及び２において示すように、第１実施形態の花ラッピング器１は、下方から上方に向けて末広がり状に（ラッパ状に）形成された本体２と、この本体２に外嵌して上方に末広がり状に設けられる延長カバー体３と、前記本体２の内側に内挿される花姿勢保持部材４とを有しており、この本体２と延長カバー体３との間に傾動規制手段１４が構成されている。
【００１０】
前記本体２は、略円錐状のカップ（コーン）形状であって、上下方向の中途部はストレートの円筒状に形成され、この筒状部分の外周面が被嵌合部１８となっている。また、本体２は前記被嵌合部１８から上方に向かって徐々に広がって上端に挿し口５が開口形成され、被嵌合部１８から下方に向かっては徐々に先細りとなって下端に水を貯留できるように水密の底部６が形成されている。
前記被嵌合部１８は、前記筒状部分の外周面として形成され、上下方向に亘って略同一径の円断面を有しており、また径外側に向かって突設される第１係合部７が周方向に連続する螺旋状に複数条形成されている。この第１係合部７の裏面側にはこの第１係合部７に対応して径外側に凹んだ第２被係合部８が内周面側に複数条に亘って凹状に形成されている。
【００１１】
前記延長カバー体３は、裁頭コーン形状に形成されており、上端に円形の大開口部９が前記挿し口５より大きく形成され、この大開口部９より小さな開口面積の小開口部１０が下端に同じく円断面を有するように形成されている。
前記大開口部９と小開口部１０とは開口面が略平行になるように設けられており、前記小開口部１０の近傍（開口端部からやや上方にかけて部分）は被係合部１８より若干大径の円断面を有するストレートの筒状に形成されており、この筒状部分の内周側は被嵌合部１８と面接触する嵌合部１７とされている。
【００１２】
前記嵌合部１７は、前記筒状部分の内周面として形成され、上下方向に亘って略同一径とされている。この嵌合部１７の中途部には、第１被係合部１１が上下方向に複数条螺旋状に形成されており、前記第１係合部７と螺合可能となっている。
前記延長カバー体３の嵌合部１７と本体２の被嵌合部１８とは嵌合すると、上下方向に幅を有する面接触部分が生じ、この面接触が本体２の延長カバー体３に対する傾動を規制する傾動規制手段１４となっている。即ち、嵌合部１７と被嵌合部１８とは互いに上下方向に幅のある筒状に形成されており、本体２が延長カバー体３に対して傾動する場合は上下に２点で当接することになる。
【００１３】
前記傾動規制手段１４は、嵌合部１７が被嵌合部１８より若干大径に形成されているので、前記嵌合部１７と被嵌合部１８とは相対回動自在となっており、第１係合部７及び第１被係合部１１との係合が外れれば、延長カバー体３に対して本体２を挿脱自在となっている。
前記嵌合部１７に凹設される第１被係合部１１と被嵌合部１８に突設される第１係合部７とは、互いに螺合しあって、本体２の延長カバー体３に対する上下方向の移動を規制する位置決め手段１９を構成している。
【００１４】
前記花姿勢保持部材４は、上下方向の中途部が筒状に形成され、この筒状部分の外周側に第２係合部１２が径外側に突設されており、前記本体の第２被係合部８と係合可能となっている。また、花姿勢保持部材４の下端側は、筒状部分より下方に向かって先細り状に形成され、その下方先端側には花Ｆの茎を挿通支持する茎支持口１３が形成されており、筒状部分より上方先端側は上方に向かって徐々に広がるように形成され、上方先端側は外周面が本体２の内周面と面接するように開口形成されている。
前記花姿勢保持部材４に花Ｆを挿入すると、茎の下端は底部６に当接し茎中途部は茎支持口１３に当接して、花Ｆは花姿勢保持部材４の中央に位置決めされ、花Ｆの姿勢を良好に保持することができるようになっている。また、茎支持口１３の上端側は本体２に沿って上方に延設されており、本体２に対して花姿勢保持部材４を回動させるのに掴みやすくなっている。
【００１５】
前記大開口部９と小開口部１０とは開口面が略平行になるように設けらており、前記大開口部９を下にして水平な台上に載置しても小開口部１０を下にして水平な台上に載置しても、大開口部９と小開口部１０とのいずれもが水平に維持される。
前記本体２の底部６を有底かつ水密に形成しているので、本体２にスタンドスタイルにおいて花Ｆの鮮度を維持する水、鮮度保持液、または栄養剤等（以下、水等Ｗという）を貯留できるようになり、さらに本体２と花姿勢保持部材４とを水密に係合しているので、貯留した水等Ｗが転倒時にこぼれるのを防止する。また、本体２の下端側と花姿勢保持部材４の下端側とは間にスペースＳが設けられるように異なった傾斜角度に形成されているので、傾斜時に水等がこのスペースＳに逃げて、水等のこぼれを防止する。
【００１６】
前記花Ｆを包装・運搬する場合（ラッピングスタイル）は、本体２を底部６を下方に向けて延長カバー体３の大開口部９から挿入する。前記本体２の上方に延長カバー体３が上広がり状に延設されるので、花Ｆを外方より覆って傷つけないように包装・運搬可能となる。次いで、前記本体２を延長カバー体３に対して回動させると、延長カバー体３の第１被係合部１１に本体２の第１係合部７が螺合する。前記嵌合部１７より上方の延長カバー体３の内周面と被嵌合部１８より上方の本体２の外周面とはそれぞれ上広がり状に形成されており、本体２を延長カバー体３に対して下方に移動させると、延長カバー体３の内周面と本体２の外周面とが互いに面接し、本体２の延長カバー体３に対する内挿位置が規制される。また、嵌合部１７と被嵌合部１８とが上下に幅のある面接触部分を介して当接するので、本体２の延長カバー体３に対する傾動が規制され、本体２の延長カバー体３に対する姿勢が保持される。
【００１７】
前記花Ｆを飾りつける場合（スタンドスタイル）は、本体２を延長カバー体３の小開口部１０から挿入する。前記延長カバー体３は、大開口部９を下方に向けて安定して立設されると共に、上広がり状に本体２を下方より保持する。次いで、前記本体２を延長カバー体３に対して回動させると、延長カバー体３の第１被係合部１１に本体２の第１係合部７が螺合する。前記被嵌合部１８より上方の本体２は上広がり状に形成されており、本体２を延長カバー体３に対して下方に移動させると、延長カバー体３の小開口部１０に本体２の外周面が当接し、本体２の延長カバー体３に対する内挿位置が規制される。また、嵌合部１７と被嵌合部１８とは上下に幅のある面接触部分を介して当接するので、本体２の延長カバー体３に対する傾動が規制され、本体２の延長カバー体３に対する姿勢が保持される。
【００１８】
図３に示される第２実施形態の花ラッピング器１は、前記位置決め手段１９を周方向に長く円環状に突設された第１係合部７と、この第１係合部７と係合可能に同じく円環状に凹み形成された第１被係合部１１とで構成している。
第２実施形態における位置決め手段１９は、円環状の第１係合部７と第１被係合部１１とが、本体２の延長カバー体３への押し込みと引き抜きに合わせて、嵌合と脱着とをするように構成されている。これによって、延長カバー体３を本体２に差し込むのみでワンタッチの係合が可能となり、係脱に際して延長カバー体３を廻す手間が不要となり、素早いスタイル切替が可能となる。
【００１９】
図４に示される本発明の第３実施形態の花ラッピング器１は、第１実施形態及び第２実施形態と異なり、互いに螺合又は嵌合し合う凹凸構造を形成しておらず、本体２の上下方向中途部の外周側に形成された面状の被嵌合部１８と、延長カバー体３の下端内周側に形成された同じく面状の嵌合部１７とが互いに面接し合うことによる摩擦抵抗とストレートとコーンとの間の屈曲部とが、本体２に対する延長カバー体３の上下位置を決定すると共に抜け止めを規制するための位置決め手段１９となっている。
本実施形態においては前記位置決め手段１９の機能を兼ね備える傾動規制手段１４が設けられているということもできる。
【００２０】
本発明は前記実施形態における各部材の形状およびそれぞれの前後・左右・上下の位置関係は、図１〜４に示すように構成することが最良である。しかし、前記実施形態に限定されるものではなく、部材、構成を種々変形したり、組み合わせを変更したりすることもできる。
例えば、花姿勢保持部材４に形成された茎支持口１３に逆流防止弁を設けて、貯留される水、鮮度保持液、または栄養剤等が転倒時に花Ｆの茎を伝ってこぼれないようにしても良い。例えば、この逆流防止弁を弾性部材のように伸縮自在な材質で構成し、中央部から略放射状に切り込みを入れて形成すれば、花Ｆの種類や大きさが変わっても花Ｆは花姿勢保持部材４の中央に位置決めされ、花Ｆの飾りつけ姿勢を保持する効果を期待できる。
【００２１】
また、花姿勢保持部材４の茎支持口１３側に周方向に亘る溝を上下に間隔をあけて複数設け、この溝に沿って茎支持口１３側の先端をハサミなどで切り取って、茎支持口１３の大きさを任意に変更できるようにして、サイズが代わっても安定して花姿勢保持部材４の中央に花Ｆを位置決めできるようにしても良い。
なお、前記花姿勢保持部材４を本体２内に挿入する代わりに、本体２の内周側に花Ｆの茎を保持する部材を一体形成することもできる。
なお、前記位置決め手段１９における係合箇所の凹凸構造は第１係合部７と第１被係合部１１との間でどちらが凸でどちらが凹であるかは特に限定されない。即ち、第１係合部７を径内側に凹んだ凹溝として、この第１係合部７の裏面に形成される第２被係合部８を径内側に突出した凸条として本体２を形成し、第１係合部７に嵌合できる径内側に突設した第１被係合部１１を延長カバー体３に形成し、第２被係合部８に嵌合できる径内側に凹んだ第２係合部１２を花姿勢保持部材４に形成してもよい。
【００２２】
また、前記第１係合部７及び第２係合部１２とは同じ大きさや形状としても良いし、異なるものとしても良い。
なお、延長カバー体３の大開口部９側の縁部にゴムのような弾性部材を設けても良く、これによってスタンドスタイルにおいて安定した接地性を発揮させることが可能となる。
前記本体２と延長カバー体３とは、例えば紙や薄手の合成樹脂として、折り畳んで収納できると共に、使用時に広げて用いるようにしても良い。
前記本体２と延長カバー体３とは、正円錐形状、正角錐形状等の他に、例えば楕円断面を有する立体としても良いし、より複雑な曲線や直線で構成される多面体としても良い。
【００２３】
前記大開口部９と小開口部１０とのそれぞれの開口面は略平行に設けられる方が好ましいが、平行には限定されない。
【図面の簡単な説明】
【００２４】
【図１】本発明の第１実施形態の断面図である。
【図２】同分解説明図である。
【図３】第２実施形態の係合状態を示す断面図である。
【図４】第３実施形態の係合状態を示す断面図である。
【符号の説明】
【００２５】
１    花ラッピング器
２    本体
３    延長カバー体
４    花姿勢保持部材
５    挿し口
６    底部
１４  傾動規制手段
１７  嵌合部
１８  被嵌合部
１９  位置決め手段
【図１】
2007131317.tif 000003
【図２】
2007131317.tif 000004
【図３】
2007131317.tif 000005
【図４】
2007131317.tif 000006